(57)【特許請求の範囲】
【請求項１】
移送手段との連結具が備えられ被介護者が着座可能とされる座板を仰向けに寝て膝が立てられた被介護者の大腿部と床との空隙部に入れた後、２本で一対とされる長尺状の操作桿を前記被介護者を介して離間させ一側先端を前記被介護者の両股関節を結ぶ直線の略延長線上かつ該被介護者の身体に近接させて配設すると共に中央部を布団と被介護者の上腕付け根部との間に進入させて、他側自由先端部を持って前記一側先端部を支点として操作桿を上方に枢動させて前記被介護者の上腕付け根部を支持して該被介護者の上半身を起立させることにより該被介護者が着座される前記座板と、該座板に近接離反自在とされ該座板の前記連結具に連結可能な連結手段を備えると共に連結された座板を昇降又は／及び移送可能とされる移送手段とを備えたことを特徴とする被介護者移送装置。
【請求項２】
被介護者が着座可能な座板と、該座板の後部左右に前記被介護者の体幅が収容可能に離間されて枢着され自由先端側が近接離反自在とされる一対の長尺状の上半身起立用操作桿と、上方に枢動されて起立される前記操作桿を支持可能な操作桿支持手段と、前記操作桿に橋架可能とされ前記座板に着座する被介護者の背中を支持可能な背もたれ部材を備え、前記座板を仰向けに寝て膝を立てた被介護者の大腿部と床との空隙部に入れると共に前記左右の操作桿の間に前記仰向けに寝る被介護者を入れた後、前記左右の操作桿中央部を布団と前記被介護者の左右の上腕付け根部との間にそれぞれ進入させて該左右の上腕付け根背部を前記操作桿中央部で支持して操作桿を上方に枢動させて前記被介護者の上半身を起立させて前記被介護者を前記座板に載せた後、起立された前記操作桿を操作桿支持手段と係合させて該操作桿を前記座板に起立保持させると共に前記背もたれ部材を起立された操作桿に橋架して形成されることを特徴とする座椅子。
【発明の詳細な説明】
【０００１】
【産業上の利用分野】
本発明は、被介護者移送装置に関するものであり、例えば自力で上体を起立できない被介護者の介助作業に利用される。
【０００２】
【従来の技術】
ベッドや畳の上の布団で寝ている被介護者を所要場所に移送する場合は、まず人的作業により仰向けの被介護者を転身させて横向きにすると共に布団の一側縁部側に寄せる。次に、空いた布団上に柔軟性材料からなる移送用シートを敷いて一側縁端を被介護者と布団との間に強制侵入させる。続いて、横向きの被介護者を移送用シート側に転身させて仰向けにした後移送用シートの中央に被介護者を移動させて移送用シート上に載せる。続いて、人的作業により被介護者の上半身を起こす。次いで、移送用シートの隅部や縁部に形成されたループ状の係合部に昇降手段を備えた移送装置のフックを掛止させると被介護者の身体要部が移送用シートに被包される。次いで、移送装置を作動させて機械力により前記移送シートを上昇させると移送用シートを介して被介護者が空中に吊り上げられる。続いて、所要場所に移送されて下降される。
ここでは、被介護者を移送用シートに被包して機械力を利用して移送するので介助者がきつい移送作業から解放される利点がある。
【０００３】
しかしながら、被介護者の身体を転身させる作業や移送用シートの中央に身体を移動させる作業及び上半身を起立させる作業は被介護者の体重が重いばかりでなく無理な作業姿勢を強いられるので筋肉負担が大きく作業がきついという問題がある。また、移送用シートを被介護者と布団との間に強制侵入させた後、移送用シートの中央に被介護者を移動させる作業が煩雑である。さらにまた、被介護者が移送用シートの材質が柔軟性を有すだけに身体要部が圧迫されて不快であるばかりでなくモノ扱いされることに苦痛を感じる等の問題がある。
【０００４】
また、被介護者の移送工程だけでなく、自力で上体を起立できなくなった被介護者でも上半身の起立だけを介助してやると食事、ベッドからの立上り、歩行等を自力で行える人も多い。また、ベッドからの立上り、歩行等も自力で行えなくなった人でも上半身を起立させて頭部を起立させる事を繰り返すと全身の機能回復に効果があると言われている。
そこで、上半身の起立介助工程では、介助者が素手を使って被介護者の上半身を起立させている。また、自動的に上半身を起立させるベッドもある。
【０００５】
しかしながら、被介護者の体重が重いばかりでなく無理な作業姿勢を強いられるので上半身を起立させる作業は筋肉負担が大きく作業がきついという問題がある。そして、作業がきついので被介護者の上半身を起立させる回数が減り被介護者の全身機能が衰退していくという問題が派生している。また、自動的に上半身を起立させるベッドは高価である。
【０００６】
本発明は、上述従来の問題点を解決することを課題としてなされたもので、布団上の要所に上半身起立手段と人が座れる座板を被介護者の身体を転身させることなく配設した後、上半身起立手段の要部を被介護者の両腕付け根と布団との間に進入させた後枢動すると、「てこ」の原理により軽い操作力で被介護者の上半身を起立させるだけで布団から前記座板に移乗させると共に座板に被介護者を座らせて座椅子が形成できるようにし、この座椅子を機械力で移送可能にして、介助者の筋肉負担を軽減できると共に移送工程において被介護者に嫌悪感を与えない安価な被介護者移送装置を提供することを目的とする。
【０００７】
【課題を解決するための手段】
本発明による請求項１の被介護者移送装置は、移送手段との連結具が備えられ被介護者が着座可能とされる座板を仰向けに寝て膝が立てられた被介護者の大腿部と床との空隙部に入れた後、２本で一対とされる長尺状の操作桿を前記被介護者を介して離間させ一側先端を前記被介護者の両股関節を結ぶ直線の略延長線上かつ該被介護者の身体に近接させて配設すると共に中央部を布団と被介護者の上腕付け根部との間に進入させて、他側自由先端部を持って前記一側先端部を支点として操作桿を上方に枢動させて前記被介護者の上腕付け根部を支持して該被介護者の上半身を起立させることにより該被介護者が着座される前記座板と、該座板に近接離反自在とされ該座板の前記連結具に連結可能な連結手段を備えると共に連結された座板を昇降又は／及び移送可能とされる移送手段とを備えたことを特徴とする。
【０００８】
また、請求項２は、被介護者が着座可能な座板と、該座板の後部左右に前記被介護者の体幅が収容可能に離間されて枢着され自由先端側が近接離反自在とされる一対の長尺状の上半身起立用操作桿と、上方に枢動されて起立される前記操作桿を支持可能な操作桿支持手段と、前記操作桿に橋架可能とされ前記座板に着座する被介護者の背中を支持可能な背もたれ部材を備え、前記座板を仰向けに寝て膝を立てた被介護者の大腿部と床との空隙部に入れると共に前記左右の操作桿の間に前記仰向けに寝る被介護者を入れた後、前記左右の操作桿中央部を布団と前記被介護者の左右の上腕付け根部との間にそれぞれ進入させて該左右の上腕付け根背部を前記操作桿中央部で支持して操作桿を上方に枢動させて前記被介護者の上半身を起立させて前記被介護者を前記座板に載せた後、起立された前記操作桿を操作桿支持手段と係合させて該操作桿を前記座板に起立保持させると共に前記背もたれ部材を起立された操作桿に橋架して形成されることを特徴とする座椅子。
【０００９】
【作用】
例えば、仰向けに寝る被介護者の両膝を起こして形成される両脚と布団との空隙部に上半身起立手段としての２本の操作桿がヒップ幅より少し広く離間されて枢着される座板の縁部を被介護者の臀部に当接させて配設すると共に操作桿をそれぞれ肩の方に延出させて配設する。続いて、操作桿を布団表面と摺接させながら身体中央方向に枢動させて被介護者の両腕の付け根（三角筋部と肩甲部との境界部近傍）と布団との間に操作桿をそれぞれ進入させて体側に密着させた後、肩部から頭部が延びる方向にさらに延出された操作桿のそれぞれの自由先端部を持って操作桿を座板の方に枢動させると肩部が操作桿に支持されて被介護者の上半身が軽い力で起立させられた後臀部が座板に載せられる。続いて、補助具を操作して操作桿の転倒防止処置をすると操作桿が背もたれ機能（上半身の転倒防止手段を兼ねる）を果たす座椅子が形成される。この座椅子をこの座椅子と専用的に連結可能とされ昇降手段を備えた移送装置に接続すると所要の場所に移送できるという作用を果たす。
【００１０】
【実施例】
以下に本発明に係わる被介護者移送装置について望ましい実施例を図面に従って説明するが、これにより本発明は何等限定されるものではない。
【００１１】
【実施例１】
本第１実施例の被介護者移送装置は請求項１に示されるもので、図１乃至図２において、１１は上半身起立手段であり、座板１８の後部側面から外側に突出する一対の軸１９、１９が一対の棒状とされ中央部に突設される断面円形の脇支持棒１４を備えた操作桿１２の先端側に開けられた貫通孔１３にそれぞれ遊嵌されて操作桿１２が軸１９の軸方向に進退自在とされると共に軸１９を中心として枢動自在に取付けられて座板１８と操作桿１２とが連結されている。
そして、一側の操作桿１２の自由先端側に柔軟性を有す背もたれ補助部材としてのベルト１６が操作桿１２の軸方向に進退自在に枢着されている。このベルト１６の自由先端側には公知のホック１７が固着されベルト１６を曲折して雌側ホック１７ａと雄側ホック１７ｂとは近接させて結合離反可能とされている。（ホックの代わりに商品名マジックテープを利用しても良い）
また、それぞれの操作桿１２の脇支持棒１４と貫通孔１３との間に貫通孔１３の軸と略平行な軸を持つ係合ピン１５が突設されている。
一方、座板１８の前部下面に軸受け部材２１が突設されこの軸受け部材２１に車輪２２が回動自在に取付けられており、さらに、座板１８の中央部側面に先端がＵ字状とされ係合ピン１５に係合可能とされる係合凹部を有す支持部材２０が枢着されている。
【００１２】
以上の構成において、その作用を図１乃至図３を用いて説明する。
まず、座板１８と上半身起立手段１１を所要位置に配置する工程では、布団の上に仰向けに横たわる被介護者の膝を立てて形成される膝と布団との空隙部の膝の投影面下に座板１８を進入させる。（この際、操作桿１２の自由先端側は被介護者の投影面外の布団上に配設するとよい）次いで、座板１８の臀部と対向する縁端を臀部に当接させた後、脚を伸ばさせる。次いで、一対の操作桿１２を被介護者の身体側に向けて枢動させながら被介護者の両腕を交互に布団から離反させて両腕の付け根（三角筋部と肩甲部との境界部近傍）と布団との間に操作桿をそれぞれ進入させる（実施例３に示すように、布団表面を摺接させながら被介護者の身体側に枢動させて両腕の付け根と布団との間に操作桿を進入させてもよい）と共に脇支持棒１４を体側と腕との隙間に進入させて被介護者の両体側に操作桿１２を密着させて布団の上に載置する。
次いで行う上半身を起立させる工程では、貫通孔１３が開けられた先端側と反対側の先端部を持って操作桿１２の先端を支点として操作桿１２を座板１８の方向に枢動させると左右の腕の付け根部が操作桿１２に支えられて被介護者の上体が起立されて臀部が座板１８の上に載せられる。（図３−ｃ）
【００１３】
この際、上半身を起立させるだけで（被介護者移送装置を構成する）座板に布団から（あるいは、ベッドから）移乗させることができるので横臥する場所から移送装置への移乗作業が大幅に簡素化され介助者の筋肉負担が画期的に軽減される。
また、被介護者の股関節から上半身の重心の位置までの長さより被介護者の股関節から操作桿１２を持つ位置迄の長さが長いので該上肢起立手段を使用しない時に比べて軽い力で被介護者の上半身を起立させる事ができる効果がある。
【００１４】
次いで行う座板への背もたれ形成工程では、支持部材２０を枢動させてＵ字状とされる係合凹部を先端が布団表面に押圧・圧入されて自立する操作桿に突出される係合ピン１５に係合させると共にベルト１６の先端部を対向するもう一方の操作桿１２に巻き付けて雌側ホック１７ａと雄側ホック１７ｂとを結合させる。
これにより、操作桿１２とベルト１６とで背もたれ部が形成され被介護者の後方向への転倒防止手段とされる。（さらに、操作桿１２から図示しないベルトを延出させて被介護者を支持して前倒れさせない手段を施しても良い）
かくして、軽い力で介護者の上半身を起立させることができる上半身起立手段付座椅子が形成される。
【００１５】
続いて行う移送工程では、図示しない側面視略Ｌ状とされる一対のフレームが適宜間隔を介して連結フレームによって一体的に結合され略Ｌ状フレームの水平部にそれぞれ２個ずつ車輪が回動自在に取付けられる一方、垂直部には水平面と略平行な面を有し前記座椅子と着脱可能な連結手段を有すフォークが昇降自在に取付けられている移送装置の前記フォークを座板１８と布団との間に形成される間隙に進入させて（前記フォークを被介護者の頭上に配設後フォークから垂下される連結手段を介して前記座椅子と連結させても良い）前記座椅子と連結し、被介護者を座板１８に座らせて操作桿１２に背をもたれさせた状態で昇降及び所要場所に移送する。
【００１６】
なお、上記実施例では操作桿１２の先端部に車輪を取付けていないが取付けても良いことは言うまでもない。これにより、前記座椅子は４輪付車椅子として利用できる。また、車輪に代えてソリを枢着させても良い。
【００１７】
【実施例２】
本第２実施例は請求項１及び２に示されるもので、上半身起立手段付座椅子として布団の上等で使用される。
なお、上記第１実施例の説明で用いた図１乃至図２に示した部分と同一部分には同一符号を付し、ここでは重複する説明を省略する。
【００１８】
図４乃至図６において、３１は上半身起立手段付座椅子であり、平面形状四角形の座板３５の後部二頂部と２本で一対とされる操作桿３２、３２の先端とがそれぞれ自在継手３６を介して連結されている。そして、一側の操作桿３２の自由先端側に実施例１と同様のベルト１６が操作桿３２の軸方向に進退自在に取付けられている。このベルト１６の自由先端側には公知のホック１７が固着されベルト１６を曲折して雌側ホック１７ａと雄側ホック１７ｂとは近接させて結合離反可能とされている。
また、操作桿３２のそれぞれの中央部に補助脚３３が枢軸３４を介して一定範囲枢動可能に枢着されている。
【００１９】
以上の構成において、その作用を図４乃至図６を用いて説明する。
布団の上に仰向けに横たわる被介護者の膝を立てた状態で実施例１と同様に座板３５を臀部に当接させた後、脚を伸ばす。次いで、実施例１と同様に操作桿３２を操作して操作桿３２を枢動させると実施例１と同様に肩部が操作桿３２に支えられて被介護者の上体が起立され臀部が座板３５の上に載せられる。次いで、ベルト１６の先端部を対向するもう一方の操作桿３２に巻き付けて雌側ホック１７ａと雄側ホック１７ｂとを結合させる。さらに、補助脚３３を最大範囲枢動させて自由先端を接地させる。（図６）
これにより、操作桿３２とベルと１６とで形成される背もたれ部が形成され被介護者が後方に転倒できないようにされる。
かくして、軽い力で介護者の上半身を起立させることができる上半身起立手段付座椅子が形成される。
【００２０】
【実施例３】
本実施例は本発明による上半身起立手段を示すもので、単独で使用する場合は上半身起立介助補助具として利用される。
図７に示すように、棒状とされる操作桿２本が一対とされ２本の操作桿の先端部が柔軟性を有す紐で連結される簡単な構成とされており、１は上半身起立手段であり、一対の操作桿２にはそれぞれ中央部に一対のフランジ４，４が設けられ、このフランジ４，４の内側に発泡ウレタン樹脂からなる筒状弾性体５が操作桿２に回動自在に取り付けられている。また、先端部に貫通孔３が開けられてこの孔３に両端に膨出部が形成された柔軟性を有す紐で構成される操作桿先端部定間隔保持手段６が進退自在に挿通されている。
【００２１】
以上の構成において、その作用を図７乃至図８を用いて説明する。
布団の上に仰向けに横たわる被介護者の下腹部の上から紐で構成される操作桿先端部定間隔保持手段６を被せ、操作桿２の先端を被介護者の両脚の股関節を結ぶ直線の延長線上近傍に配置すると共に操作桿２の自由先端側は被介護者の投影面外の布団上に配設する。次いで、一対の操作桿２を布団表面を摺接させながら被介護者の身体側に枢動させると両肩先から布団が弾性変形して操作桿２に取付けられた筒状弾性体５、５が両腕の付け根（三角筋部と肩甲部との境界部近傍）と布団との間に進入して操作桿２、２が被介護者の両体側に密着される。次いで、紐で構成される操作桿先端部定間隔保持手段６の一側の膨出部を引張って操作桿２の先端部を被介護者の両体側に密着させると共に紐で構成される操作桿先端部定間隔保持手段６が被介護者の体の突部に添って密着するように弛みを除去した後、前記定間隔保持手段６を操作桿２に結び付けて一対の操作桿２、２の離間可能な最大間隔を設定する。
【００２２】
これにより、以後は一対の操作桿２、２の支点側先端部（貫通孔３に近い先端部）をいつでも簡単に被介護者の体側に密着して設置できるようにされる。
また、自由先端側は支点側先端部（貫通孔３に近い先端部）を支点としてあらゆる方向に枢動可能とされる。
次いで、前記定間隔保持手段６が備えられた先端部と反対側の先端部を持って前記定間隔保持手段６が備えられた側の先端を支点として操作桿２を被介護者の足側に向けて枢動させると左右の腕の付け根部が一対の操作桿２、２に備えられた筒状弾性体５、５に支えられて被介護者の上半身が起立される。（図８−ｃ）
【００２３】
この際、被介護者の股関節から上半身の重心の位置までの長さより被介護者の股関節から操作桿２を持つ位置迄の長さが長いので該上半身起立手段を使用しない時に比べて軽い力で被介護者の上半身を起立させる事ができる効果がある。
また、操作桿２の支点側先端は前記定間隔保持手段６を介して結合されて被介護者の体側に密着されているので操作桿２を枢動させる間は支点側先端の位置を拘束する効果があるので操作桿２の操作力を効率よく上半身起立操作に当てる事ができる。
【００２４】
上半身を起立させた後は該上半身起立手段を被介護者の体から離反させてもよいし、再び上半身を倒すためにそのまま置いていても良い。
なお、上半身を倒す場合は起立させる場合の操作を逆に行えば良い。この際は筒状弾性体５を肩甲部に当接させて操作桿２を倒して上体を倒すと起立させる際に比べてさらに安定した状態で上体を倒す事ができる。
【００２５】
なお、この上半身起立手段は上半身の起立だけに利用されるものでなく被介護者の移送にも利用される。この際は、操作桿の一側先端を被介護者の両足のかかとを結ぶ直線の延長線にヒップ幅離間させて接地させると共に中央部を上記実施例同様にして上腕付け根部と布団との間に側方から進入させて他側先端を頭部の延びる方向に肩から延出させる。次いで、両脚を開いて片方の脚の膝の裏側を一方の操作桿の上に載せると共に他方の脚の膝の裏側をもう一方の操作桿の上に載せた後、かかと側に接地する先端を支点として頭部側の先端を脚側に枢動させると操作桿にふくらはぎと両腕の付け根部が支持されて被介護者の体が布団から離反されるので操作杆の軸の投影方向に容易に移送できる。この際、かかと側先端に回動自在の車輪又は枢動自在にソリを取付けると操作力を軽減できる。また、操作桿に臀部と布団との間に側方から進入でき臀部を支持可能な突起を突設するとさらに被介護者の姿勢を安定させることができる。
【００２６】
【実施例４】
本実施例は、本発明による上半身起立手段の他の実施態様例を示すもので、上半身起立手段付の食事用テーブルとして布団の上で利用され、その特徴は操作桿先端部定間隔保持手段としての脚と脚との間隙部に被介護者のヒップ幅が収容可能とされる脚付テーブルの脚の先端部に上半身起立手段の操作桿の先端を枢着した点にある。
図９乃至図１０において、脚付テーブル４５の脚４６の先端部に延長軸４３と基軸４４とが自在継手を介して連結される操作桿４２の先端が着脱自在に枢着されている。
【００２７】
作用は、脚４６と脚４６の間の間隙部に仰向けに寝ている被介護者のヒップ部が収容されるように脚付テーブル４５を置く。次いで、脚４６の先端部に操作桿４２の先端を枢着させた後、操作桿中央部を実施例１と同様にして上腕付け根部と布団との間に進入させて自在継手を支点として脚付テーブル４５の方向に枢動させると実施例1同様に被介護者の上半身を起立させる事ができる。
なお、脚４６と自在継手とを直接連結させて基軸４４を枢動させても同様に起立させる事ができるが、この際は起立する被介護者の腹部がテーブル縁部に干渉するのを避けるために図中の２点鎖線のように腹部と対向するテーブル縁部に切欠部４７を凹設する必要が有る。
【００２８】
また、本発明による上半身起立手段も単独で使用する場合は上半身起立介助補助具として利用される。
この際の上半身起立手段の他の実施態様例として図１１の（ａ），（ｂ），（ｃ）に示す。
ここでは、略平行にされた一対の操作桿５２が連結具５３を介して連結され操作桿５２の間隔は両上腕付け根部の幅と略同一に固定されていることが特徴であり、操作桿５２に両上腕付け根部を載せるためには肩部を挙げて操作桿５２の内側に両肩部を進入させる操作を必要とする。
【００２９】
（ａ）は一側の操作桿５２（例えば、図中上側の操作桿）を接地させてその軸線を被介護者の体側と略平行にして自由先端を股関節の延長線上に配設後片側の肩を布団から離間させて被介護者の体側に近接させて上腕付け根部と布団との間に一側の操作桿５２を進入させて片側の肩を降ろす。次いで、前記一側の操作桿５２を支点として他側操作桿５２を被介護者側に枢動させると共に他側肩を布団から離間させて操作桿５２と操作桿５２との間の間隙に上半身を進入させた後、該肩を降ろすともう一方の上腕付け根部と布団との間に操作桿５２を進入させることができる。次いで、自由先端を支点として操作桿５２，５２を枢動させると上体を起立させることができる
【００３０】
（ｂ）及び（ｃ）は被介護者の脚を布団から離間させて脚と布団との間に連結具５３を進入させた後、身体を交互に左右横向きにして操作桿５２と操作桿５２との間隙部に被介護者の身体を進入させた後被介護者を仰向けにすると左右の上腕付け根部と布団との間に操作桿５２が進入させられるので臀部側の連結具５３を支点として操作桿５２を枢動すると上体を起立させることができる
【００３１】
なお、上半身起立手段の更に他の実施態様例を以下に示す。
１、前記一対の操作桿が伸縮自在とされていることを特徴とする。
２、前記一対の操作桿に頚部又は／及びウエスト部又は／及び脚部を支持可能な突部が形成されていることを特徴とする。
３、前記一対の操作桿に橋架可能とされる上体拘束手段が備えられた事を特徴とする。
４、弾性を有す樹脂製条材が略Ｕ字状に形成された連結部材と該連結部材の両先端部にそれぞれ棒状の操作桿が枢着され前記両先端を結ぶ直線と直交方向に操作桿が枢動可能とされると共に対向する操作桿の方向に枢動可能とされており、連結部材の開口部に被介護者のヒップ部を収容可能とされていることを特徴とする。
５、前記一対の操作桿又は／及び座板に移送装置との連結具が備えられている事を特徴とする。この際の連結具とは、ループ状又は鉤状の連結具等公知のフックに係合可能なものや移載手段又はフォークリフト等の重量物を載せるフォーク等に係合可能な連結具を示す。
【００３２】
また、座板の更に他の実施態様例を以下に示す。
１、座板の中央部に切欠部が貫設され台座に座る被介護者の便尿が該切欠部を介して便器に放出可能とされたことを特徴とする
【００３３】
また、座板と上半身起立手段とを枢軸を介して枢動可能に連結される座椅子は枢軸を着脱可能な回転手段によって回転させて上半身起立手段（操作桿）を起立させる構成にしても良い。これにより、起立作業を機械化できる効果がある。
【００３４】
また、上記実施例では上腕付け根部と布団との間に操作桿を直接進入させたが、これに限られるものではない。すなわち、被介護者と布団との間に介在する枕や敷物と布団との間に操作桿を進入させてこの枕や敷物を介して上腕付け根部を支持しても同様に上半身を起立させることができる。
【００３５】
【発明の効果】
以上詳述したように、本発明の被介護者移送装置は、被介護者を移送するまでの工程において、被介護者の膝を立てたり腕を持ち上げるだけで当該装置を被介護者と布団との間に設置できるので設置工程での設置作業の筋肉負担を大幅に軽減できる。また、上半身起立工程では起立作業は「てこ」を利用して上半身を起立させるので筋肉負担を大幅に軽減できる。さらにまた、仰向けに寝る被介護者の上半身を起立させるだけの作業で上半身起立手段と座板とで形成される座椅子に被介護者を移乗させることができ、安楽な姿勢に座らせることができる。そして、移送工程では移送作業は安楽な姿勢で座る被介護者を座椅子ごと移送手段によって昇降・移送できるようにしたので機械化可能となり介助者は重筋作業から解放される。また、座椅子は吊り上げ式移送手段よりも安価な床を走行できる台車でも移送できるので装置全体が安価にできる。等の実用的に優れた効果を奏する。
【図面の簡単な説明】
【図１】本発明の第１実施例を示す被介護者移送装置の要部平面図である。
【図２】第１実施例の被介護者移送装置の要部側面図である。
【図３】第１実施例の被介護者移送装置の動作説明図である。
【図４】本発明の第２実施例の被介護者移送装置の要部平面図である。
【図５】第２実施例の被介護者移送装置の要部側面図である。。
【図６】第２実施例を示す被介護者移送装置の座椅子の側面図である。
【図７】本発明の第３実施例を示す上半身起立手段の平面図である。
【図８】第３実施例の上半身起立手段の動作説明図である。
【図９】本発明の第４実施例を示す上半身起立手段の平面図である。
【図１０】第４実施例の上半身起立手段の側面図である。
【図１１】本発明の第５実施例を示す上半身起立手段の平面図である。
【符号の説明】
１  上半身起立手段
２  操作桿
３  貫通孔
４  フランジ
５  筒状弾性体
６  操作桿先端部定間隔保持手段
１１  上半身起立手段
１２  操作桿
１３  貫通孔
１４  脇支持棒
１５  係合ピン
１６  ベルト
１７  ホック
１８  座板
１９  軸
２０  支持部材
２１  軸受け部材
２２  車輪
３１  上半身起立手段付座椅子
３２  操作桿
３３  補助脚
３４  枢軸
３５  座板
３６  自在継手
４２  操作桿
４４  基軸
４５  脚付テーブル
４６  脚
４７  切欠部
５２  操作桿
５３  連結具
【図１】
0004055043.tif 000002
【図２】
0004055043.tif 000003
【図３】
0004055043.tif 000004
【図４】
0004055043.tif 000005
【図５】
0004055043.tif 000006
【図６】
0004055043.tif 000007
【図７】
0004055043.tif 000008
【図８】
0004055043.tif 000009
【図９】
0004055043.tif 000010
【図１０】
0004055043.tif 000011
【図１１】
0004055043.tif 000012